(57)【特許請求の範囲】
【請求項１】
電池収納部を有した防水リモコン装置において、該電池収納部を覆い着脱自在に取り付けられた蓋と、前記電池収納部を囲繞し該蓋が覆い、先端になるに従って外側に向かって拡がっている壁と、該壁の内壁面で嵌着する前記蓋が有する垂れ壁部と、
該垂れ壁部と該垂れ壁部が嵌着する外側に向かって拡がった前記壁の内壁面との間にあって前記電池収納部を水密にする輪状の弾性体よりなる第一の密閉部材と、前記壁の内壁面には全周に渡って内側に張り出した前記垂れ壁部の端面と対向する張り出し面と、該張り出し面と前記垂れ壁部の端面の間には前記電池収納部の水密構成部材である輪状で弾性体よりなる第二の密閉部材と、を有していることを特徴とする防水リモコン装置。
【請求項２】
請求項１において、前記第二の密閉部材は前記蓋の垂れ壁に対して全周に渡って前記電池収納部の壁に向かって押すように前記垂れ壁部の端面に角度を持たせたことを特徴とする防水リモコン装置。
【請求項３】
少なくとも操作部、表示部及び電池収納部の蓋を外面に有する略直方体の外箱と、該外箱を形成する少なくとも二つに分割された部材より成る外装材と、該外箱の内部に設けた赤外線の発信器と、を有する防水リモコン装置において、前記外装材を接合によって外箱を形成した際にできる接合線を有する面で、かつ前記外装材の一方にのみ設けられ、前記赤外線の発信器により赤外線を外部に向けて発する孔と、該孔及び該孔を中心とする全周を所定の幅以上を覆う赤外線を透過する透過板と、前記外装材の一方の外面にある前記孔を中心とした全周に渡り所定の幅以上に前記透過板と密着する密着面と、
を有していることを特徴とする、請求項１または請求項２記載の防水リモコン装置。
【発明の詳細な説明】
【０００１】
【発明の属する技術分野】
本発明は、内部に収納された電池により他の空気調和機、給湯器、浴室暖房乾燥機等に対して赤外線を利用して操作するリモコン装置（遠隔操作装置）であって、該リモコン装置を使用する場所が浴室内又は屋外等の理由により防水性能が必要となる防水リモコン装置に関するものである。
【０００２】
【従来の技術】
従来の防水リモコン装置の電池収納部に関しては各種の防水構造が提案されており、概略以下の内容であった。
（１）電池収納部の蓋をパッキンによる面シールで防水構造としているもの。（特開平１０−２８５６７０号、特開平９−１１６９８６号等）
（２）電池収納部及び蓋の嵌合部を円形として蓋をねじ込むことによりＯリングを密着させて防水構造としたもの。（特開平９−３３１５８４号）
（３）電池収納部に蓋が嵌合し、該蓋を押し込む際に該蓋と前記電池収納部の壁でパッキンを密着させて防水構造としたもの。（実開昭６１−１８１４７０号）
【０００３】
また、防水リモコン装置の赤外線等の発信器に関しても同様に各種の防水構造が提案されており、概略以下の内容であった。
（４）赤外線の発信器の素子の周囲と外箱の周囲をパッキンにて防水構造としたもの。（実開平６−７７３８６号）
（５）外箱（ケース本体）の角部に発光部カバーを超音波溶着により接合して防水構造とするもの。（特開平９−３３１５８４号）
（６）光透過材料よりなるキャップ（有底筒状のもの）を外箱（ケーシング）に嵌合させ、重なりあう部分にパッキン（シール材）による防水構造とするもの。（実開昭６１−１８１４７０号）
【０００４】
【発明が解決しようとする課題】
しかしながら、前記従来の防水リモコン装置は以下の課題を有していた。
ａ．電池収納部の防水構造については、（１）のような面シールにおいては電池を交換する際の開閉は容易だが、シール面を均一に押さえ込む必要があり、外箱の変形によっては防水性能が簡単に失われるという問題があった。
【０００５】
ｂ．また、（２）及び（３）の電池収納部の構造については、外箱の変形等に関する防水性能には優れるが、電池を交換する際にＯリング又はパッキンを押し込んでいる蓋を取り外すことが難しい、及びその蓋を押し込み又はねじ込むことによってＯリング又はパッキンが傷つかないように取り付けることが難しいという問題があった。
【０００６】
ｃ．次ぎに赤外線の発信器の防水構造については、（４）のように円筒形の赤外線の発信器の周囲と外箱との間をＯリング又はパッキンにより密着させて防水構造とするものは、前記赤外線の発信器が外部に露出しているため、前記赤外線の発信器が使用者等によって簡単に動いてしまい、パッキンと外箱との間に隙間ができるため防水性能が損なわれるという問題があった。また、外箱は内部に制御基板を内蔵しているため外箱の最も広い面と面とを分断する形で二つの外装材に分かれており、この接合線上にＯリング又はパッキンの密着面が設けられていれば、一層防水性能は低下し易いという問題があった。
【０００７】
ｄ．（５）の赤外線発信器の防水構造については、発光部カバーと外箱を超音波溶着により接合しているので、組立が容易でなく、また発光部カバーの材質は所定の厚み及び強度が必要になるという問題があった。
【０００８】
ｅ．（６）の赤外線発信器の防水構造については、有底筒状のキャップで外箱の一端を覆うという大きな部材が必要となりそのシール面も外箱の全周に渡るため外箱の変形による防水性能が簡単に失われ易いことと、外箱においては、ｄでも述べたようにキャップと重なり合う面に接合線が発生することは避けられないので、防水性能が劣るという問題があった。
また、外箱において超音波溶着にて接合する場合は接合線には溶けだしたバリがＯリング又はパッキンの密着面にはみ出してくることは（４）の場合も含めて問題があった。
【０００９】
本発明は上記従来の課題を解決するもので、電池収納部については防水性能が優れかつ、電池の交換も容易であることと、赤外線の発信器部については組立が容易で、かつ防水性能に優れる防水リモコン装置の提供を目的とする。
【００１０】
【課題を解決するための手段】
請求項1の防水リモコン装置は電池収納部を有しており、該電池収納部を覆い着脱自在に取り付けられた蓋と、前記電池収納部を囲繞し該蓋が覆い、先端になるに従って外側に向かって拡がっている壁と、該壁の内壁面で嵌着する前記蓋が有する垂れ壁部と、該垂れ壁部と該垂れ壁部が嵌着する外側に向かって拡がった前記壁の内壁面との間にあって前記電池収納部を水密にする輪状の弾性体よりなる第一の密閉部材と、前記壁の内壁面には全周に渡って内側に張り出した前記垂れ壁部の端面と対向する張り出し面と、該張り出し面と前記垂れ壁部の端面の間には前記電池収納部の水密構成部材である輪状で弾性体よりなる第二の密閉部材とを有していることにより、防水性能をより一層向上することができる。
【００１１】
請求項２の防水リモコン装置は請求項１に加えて前記第二の密閉部材は前記蓋の垂れ壁に対して全周に渡って前記電池収納部の壁に向かって押すように前記垂れ壁部の端面に角度を持たせていることにより、第一の密閉部材及び第二の密閉部材が相乗的に働くことにより、より防水性能を向上させることができる。
【００１２】
請求項３の防水リモコン装置は、請求項１または請求項２に加えて、少なくとも操作部、表示部及び電池収納部の蓋を外面に有する略直方体の外箱と、該外箱を形成する少なくとも二つに分割された部材より成る外装材と、該外箱の内部に設けた赤外線の発信器と、を有する防水リモコン装置において、前記外装材を接合によって外箱を形成した際にできる接合線を有する面で、かつ前記外装材の一方にのみ設けられ、前記赤外線の発信器により赤外線を外部に向けて発する孔と、該孔及び該孔を中心とする全周を所定の幅以上を覆う赤外線を透過する透過板と、前記外装材の一方の外面にある前記孔を中心とした全周に渡り所定の幅以上に前記透過板と密着する密着面とを有していることにより、簡単な構造で赤外線発信器の防水性能を向上できる。
【００１３】
【発明の実施の形態】
本発明における防水リモコン装置の実施の形態について、以下図面を用いて説明する。
図１は防水リモコン装置の模式外観図であり、図２は防水リモコン装置の断面図、図３は図２における要部拡大図で、（ｂ）が請求項１に、（ｃ）が請求項２に対応しており、図４も同じく請求項３に対応する要部拡大図であり、各部の説明において、同じ箇所には同じ符号を付けて説明を省略する。なお、図３の（ａ）は第一の密閉部材だけの場合の、例である。
【００１４】
図１の本発明の防水リモコン装置の構成図において、（ａ）は防水リモコン装置を上側（操作部側）から見た図であり、（ｂ）は下側（電池収納部側）より見た図である。図中、１は浴室内に設置した浴室暖房換気装置や屋外に設置された給湯器等（図示せず、以下機器という）を操作する外観が略直方体である防水リモコン装置、２は該防水リモコン装置１の外面にあり液晶、蛍光表示管、７セグメントＬＥＤ等を用いて文字や図形等により機器の設定内容を表示する表示部、３は前記防水リモコン装置１の外面にあって機器の各種の運転状態を設定する複数のスイッチよりなる操作部、４は前記防水リモコン装置１の外郭及び内部の基板等を収納しかつ固定する構造を成型用金型により樹脂で形成した外箱で、成型して箱体を形作るため上外箱４ａ及び下外箱４ｂに分割して成型しその後、内部に基板等を取付た後、超音波で溶着接合したり、パッキンを挟んでねじ締めして接合したりしている。４ｃは前記上外箱４ａ及び前記下外箱４ｂを接合した際にできる接合線、５は前記外箱４の内部にある赤外線発信器（図２において後述する）の外側にあって赤外線を透過する樹脂のフィルムよりなり前記外箱４に貼付してある透過シート、６は前記防水リモコン装置１の電源となる電池を収納する電池収納部（図２において後述する）を覆い着脱自在とし電池の交換を可能とした蓋、７は該蓋６を前記下外箱４ｂに固定するねじである蓋固定具で、該蓋固定具７の頭部には１０円、１００円、５００円等の硬貨により旋回することができる溝が設けられており、軸部の雄ねじは前記上外箱４ａ又は下外箱４ｂに形成された雌ねじまたは前記上外箱４ａ又は下外箱４ｂに圧入された雌ねじを持つナット又はブッシュ等に螺合している。また、前記蓋６の一端は前記蓋固定具７により固定されるが、前記蓋６の他端は挿入棹６ａにより前記下外箱４ｂに差し込み又引っかけることにより固定される。
【００１５】
図２は図１の防水リモコン装置の断面図であり、発明の要部を説明し易いように、電池収納部を上側になるように図示している。８は前記下外箱４ｂの一部を凹ませて成型して周囲が壁に囲まれた電池収納部、８ａは該電池収納部８に収納された電池で、通称単四形や単三形等の円筒形の乾電池を想定して図示しているが、その他のコイン形、ボタン形、ピン形等を用いるものとしても良い。１０は前記防水リモコン装置１の前記表示部２の表示内容及び前記操作部３よりの操作内容を受けて後述する赤外線発信器より外部の機器に対して信号を発信する制御手段が実装された基板、１１は材質が天然ゴム、合成ゴム、樹脂等の弾性体であり、断面が円形であることから一般にＯリングと呼ばれる全体が輪状である第一の密閉部材、１２も同じく材質が天然ゴム、合成ゴム、樹脂等の弾性体であり、断面が円形であることから一般にＯリングと呼ばれる全体が輪状である第二の密閉部材で、前記第一の密閉部材１１及び該第二の密閉部材１２は前記下外箱４ｂと前記蓋６との間において所定の間隔になるように成形された隙間にはまり込むことにより密着し、前記隙間よりの水の浸入を防止する。１３は前記上外箱４ａに複数設けられた孔より複数突出し、前記基板１０に設けられた接点の開閉を伝達する伝達部材、１４は該伝達部材１３と同時に前記上外箱４ａの外面を覆う樹脂の薄い膜よりなるシートで、該シート１４は前記操作部３を覆いかつ、該シート１４及び前記上外箱４ａが接着剤により張り付けられることにより該操作部３側の防水効果を持っている。また、前記操作部３に設けられた個々の操作手段であるスイッチは前記シート１４に描かれた文字及び図形または、前記シート１４の前記伝達部材１３に対応する一定の範囲を成型することにより凸状とすることでスイッチであることを明示するとともにスイッチの作動ストロークを稼いでいる。１５は前記基板１０に実装して前記基板の制御内容により外部の機器に赤外線を発信する赤外線発信器である。
【００１６】
図３は図２の第一の密閉部材１１または第一の密閉部材１１と第二の密閉部材と、下外箱４ｂと蓋６との関係を表した要部拡大断面図であり、（ｂ）は請求項１を、（ｃ）は請求項２の内容を説明している。
【００１７】
図３（ａ）においては、２１は前記電池収納部８を囲繞し前記蓋６が覆い、先端になるに従って外側に向かって拡がっている壁、２１ａは該壁２１の一部であって前記蓋６の一部と嵌着する壁面で所定の角度Ａにより外側に拡がった嵌合壁面、２２は前記電池収納部８を覆う前記蓋６と一体に成形された垂れ壁部で、前記嵌合壁面２１ａと嵌着する。２２ａは前記垂れ壁部２２の外側に向けて全周に渡って設けられた垂れ壁部の溝である。
第一の密閉部材１１は前記蓋６の前記垂れ壁部の溝２２ａにはまり込むように取り付けられており、前記蓋６が下外箱４ｂに嵌着した時に前記第一の密閉部材１１は前記嵌合壁面２１ａと密着し、同時に前記垂れ壁部２２とも密着することにより、前記電池収納部８を水密にする。
ここで、角度Ａは第一の密閉部材１１の硬さによっても異なるが、３度以上の角度を設けるものとしている。この角度Ａを３度未満とした場合には、蓋６を取り付けるために押し込む力が必要となり、蓋６を取り付けることが容易でなくなる。逆にこの角度Ａを大きくすると取付は容易となる反面、水密性を有するための前記嵌合壁面２１ａの寸法精度を厳密に行うことが必要となる。
蓋６を取り付ける際に、第一の密閉部材１１は所定の角度Ａを有する嵌合壁面２１ａで密着することにより、前記蓋６の前記下外箱４ｂへの取付又は取り外しが簡単に行える。
【００１８】
図３（ｂ）においては、３１は前記電池収納部８を囲繞し前記蓋６が覆い、先端になるに従って外側に向かって拡がっている壁、３１ａは該壁３１の一部であって前記蓋６の一部と嵌着する壁面で所定の角度Ａにより外側に拡がった嵌合壁面、３１ｂは前記壁３１の途中より分岐して中間部を全周に渡って立ち上げ、かつ蓋６に向けて設けた壁の溝、３２は前記電池収納部８を覆う前記蓋６と一体に成形された垂れ壁部で、前記嵌合壁面３１ａと嵌着する。３２ａは該垂れ壁部３２の外側に向けて全周に渡って設けられた垂れ壁部の溝、３２ｂは前記垂れ壁部３２の前記壁の溝３１ｂと対向する面である垂れ壁部端面である。
第一の密閉部材１１は前記蓋６の前記垂れ壁部の溝３２ａにはまり込むように取り付けられており、前記蓋６が下外箱４ｂに嵌着した時に前記第一の密閉部材１１は前記嵌合壁面３１ａと密着し、同時に前記垂れ壁部３２とも密着する。また同時に第二の密閉部材１２は下外箱４ｂと一体に成形された前記壁の溝３１ｂにはまり込むことにより取り付けられており、前記蓋６が前記下外箱４ｂに取り付けられることにより前記垂れ壁部端面３２ｂと密着し、この密着により前記第二の密閉部材１２は前記壁の溝３１ｂとも密着する。以上により、前記電池収納部８を水密にする。
ここで、角度Ａは第一の密閉部材１１の硬さによっても異なるが、３度以上の角度を設けるものとしている。この角度Ａを３度未満とした場合には、蓋６を取り付けるために押し込む力が必要となり、蓋６を取り付けることが容易でなくなる。逆にこの角度Ａを大きくすると取付は容易となる反面、水密性を有するための前記嵌合壁面３１ａの寸法精度を厳密に行うことが必要となる。
蓋６を取り付ける際に、第一の密閉部材１１は所定の角度Ａを有する嵌合壁面３１ａで密着することにより、前記蓋６の前記下外箱４ｂへの取付又は取り外しが簡単に行え、同時に第二の密閉部材１２により、より一層の防水性能が得られる。
【００１９】
図３（ｃ）においては、４１は前記電池収納部８を囲繞し前記蓋６が覆い、先端になるに従って外側に向かって拡がっている壁、４１ａは該壁４１の一部であって前記蓋６の一部と嵌着する壁面で所定の角度Ａにより外側に拡がった嵌合壁面、４１ｂは前記壁４１の途中より分岐して中間部を全周に渡って立ち上げ、かつ蓋６に向けて設けた壁の溝、４２は前記電池収納部８を覆う前記蓋６と一体に成形された垂れ壁部で、前記嵌合壁面４１ａと嵌着する。４２ａは該垂れ壁部４２の外側に向けて全周に渡って設けられた垂れ壁部の溝、４２ｂは前記垂れ壁部４２の前記壁の溝４１ｂと対向する面である垂れ壁部端面で、該垂れ壁部端面４２ｂは全周に渡って所定の角度Ｂの傾きをもっている。
第一の密閉部材１１は前記蓋６の前記垂れ壁部の溝４２ａにはまり込むように取り付けられており、前記蓋６が下外箱４ｂに嵌着した時に前記第一の密閉部材１１は前記嵌合壁面４１ａと密着し、同時に前記垂れ壁部４２とも密着する。また同時に第二の密閉部材１２は下外箱４ｂと一体に成形された前記壁の溝４１ｂにはまり込むことにより取り付けられており、前記蓋６が前記下外箱４ｂに取り付けられることにより前記垂れ壁部端面４２ｂと密着し、この密着により前記第二の密閉部材１２は前記壁の溝４１ｂとも密着する。この時前記垂れ壁部端面４２ｂは所定の角度Ｂを持つことにより、前記垂れ壁部４２を蓋６の外周の方向に押し広げる力が働き、これにより前記第一の密閉部材１１も、より一層前記嵌合壁面４１aに押しつける力が働き密着が増す。以上により、前記電池収納部８を水密にする。
ここで、角度Ａは第一の密閉部材１１の硬さによっても異なるが、３度以上の角度を設けるものとしている。この角度Ａを３度未満とした場合には、蓋６を取り付けるために押し込む力が必要となり、蓋６を取り付けることが容易でなくなる。逆にこの角度Ａを大きくすると取付は容易となる反面、水密性を有するための前記嵌合壁面４１ａの寸法精度を厳密に行うことが必要となる。
また、角度Ｂは第一の密閉部材１１、第二の密閉部材及び垂れ壁部４２の、各々の硬さの関係によって異なるが５度以上の角度を設けるものとしている。この角度Ｂを５度未満とした場合には、前記垂れ壁部４２を蓋６の外周の方向に押し広げる力がほとんど働かないものとなる。逆にこの角度Ｂを大きくすると前記垂れ壁部４２を蓋６の外周の方向に押し広げる力は大きくなる反面、前記第二の密閉部材１２が前記壁の溝４１ｂを構成する三つの壁面の内の外周側の壁面への密着性が低下することになる。
蓋６を取り付ける際に、第一の密閉部材１１は所定の角度Ａを有する嵌合壁面４１ａで密着することにより、前記蓋６の前記下外箱４ｂへの取付又は取り外しが簡単に行え、また、同時に第二の密閉部材１２の反発力により相乗的に、より一層の防水性能が得られる。
【００２０】
図４は請求項３を説明する前記防水リモコン装置１の透過シート５側の要部拡大図であり、前記透過シート５の貼付について説明している。
図中、４ｄは上外箱４ａ側に穿たれた赤外線発信器１５の発光方向に対応する発信器用孔、４ｅは該発信器用孔４ｄの周囲に前記上外箱４ａの表面にわずかに凹ませた区画として設けた透過シート貼付範囲で、該透過シート貼付範囲４ｅには透過シート５の最小貼付間隔Ｃを設けている。
ここで最小貼付間隔Ｃは２ｍｍ以上、好ましくは５ｍｍ程度としている。この最小貼付間隔Ｃは前記透過シート５と前記透過シート貼付範囲４ｅとの接合剤の種類によっても異なるが、２ｍｍ未満とすると水密性を保つための信頼性に欠けることとなる。逆に最小貼付間隔Ｃを大きくする方が水密性を保つための信頼性を確保するためには好ましいものとなるが、防水リモコン装置１は使用者が持ち易く、かつ操作し易い等の外観上の制限により５ｍｍ程度を好ましいものとしている。
前記透過シート５の前記透過シート貼付範囲４ｅに貼付する片面には接着剤又は両面テープ等の接合剤が塗布してあり、密着することにより前記透過シート５は前記透過シート貼付範囲４ｅに接合する。このとき、前記上外箱４ａと下外箱４ｂの接合線４ｃは、赤外線発信器１５を設ける外箱４の面には前記透過シート貼付範囲４ｅを避けて前記下外箱４ｂ側に偏って設けてあるので、前記接着剤又は両面テープ等で接合する際に、より密着する接合面を得ることができる。
【００２１】
以上のように実施の形態において防水リモコン装置は構成されているので以下の作用を有する。
ａ．請求項１においては、蓋６を取り付ける際に、第一の密閉部材１１は所定の角度Ａを有する壁面上部３１ａで密着することにより、前記蓋６の前記下外箱４ｂへの取付又は取り外しが簡単に行え、同時に第二の密閉部材１２を設けたことにより一層の密閉する作用を有する。
ｂ．請求項２においては、前記ａの作用に加え、同時に第二の密閉部材１２の反発力により第一の密閉部材１１を壁面上部に一層密着させるという相乗的な作用が得られる。
ｃ．請求項３においては、前記ａまたは前記ｂの作用に加え、前記上外箱４ａと下外箱４ｂの接合線４ｃは、赤外線発信器１５を設ける外箱４の面には前記透過シート貼付範囲４ｅを避けて前記下外箱４ｂ側に偏って設けてあるので、前記接着剤又は両面テープ等で接合する際により隙間なく密着できる接合面を得ることができるという作用が得られる。
【００２２】
【発明の効果】
本発明により、防水リモコン装置は以下の効果が得られる。
ａ．請求項１においては、前記蓋６の前記下外箱４ｂへの取付又は取り外しが簡単に行えるという作用を有しているので、老人から子供まで様々な使用者が行う可能性のある電池の交換時に無理な力を加えることなく防水性能を維持できると同時に、二重の密閉部材をもつことによりより一層の防水効果を有する。
ｂ．請求項２においては、前記ａの効果に加え、二重の密閉部材が相乗的に働くことにより、より一層の防水効果が得られる。
ｃ．請求項３においては、前記ａまたは前記ｂの効果に加え、隙間なく密着できる接合面を得ることができることにより、シートによる密着であっても優れた防水効果が得られる。
【図面の簡単な説明】
【図１】  本発明の防水リモコン装置の模式外観図であり、（ａ）は操作部側より、（ｂ）は蓋側より見た図である。
【図２】  本発明の防水リモコン装置の断面図である。
【図３】  図２の電池収納部に関する要部拡大図で、（ｂ）は請求項１を説明した実施例であり、（ｃ）は請求項２を説明した実施例である。なお、図３の（ａ）は第一の密閉部材だけの場合の、例である。
【図４】  赤外線発信器の透過シートに関する要部拡大図である。
【符号の説明】
１  防水リモコン装置
２  表示部
３  操作部
４  外箱
４ａ  上外箱
４ｂ  下外箱
４ｃ  接合線
４ｄ  発信器用孔
４ｅ  透過シート貼付範囲
５  透過シート
６  蓋
６ａ  挿入棹
７  蓋固定具
８  電池収納部
８ａ  電池
１０  基板
１１  第一の密閉部材
１２  第二の密閉部材
１３  伝達部材
１４  シート
１５  赤外線発信器
２１、３１、４１  壁
２１ａ、３１ａ、４１ａ  嵌合壁面
２２、３２、４２  垂れ壁部
２２ａ、３２ａ、４２ａ  垂れ壁部の溝
３１ｂ、４１ｂ  壁の溝
３２ｂ、４２ｂ  垂れ壁部端面
【図１】
0004544769.tif 000002
【図２】
0004544769.tif 000003
【図３】
0004544769.tif 000004
【図４】
0004544769.tif 000005